【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】  セルラ通信ネットワークの無線周波数（ＲＦ）パワーレベルを調節する方法において、ネットワークは第２の可変利得中継器として通信信号を送信するように構成されている第２の複数の信号送信エレメントに結合されている第１の可変利得中継器として通信信号を受信するように構成されている第１の複数の信号送信エレメントを含んでおり、方法は、
通信信号が第１の複数の信号送信エレメントで受信されないように、第１の複数の信号送信エレメントのうち少なくとも幾つかを消勢し、
通信信号が第２の複数の信号送信エレメントから送信されないように、第２の複数の信号送信エレメントのうち少なくとも幾つかを消勢し、
第１の複数の信号送信エレメントにおいて予め定められた注入されたパワーレベルを有する基準信号を注入し、
第２の複数の信号送信エレメントにおいて基準信号を受信し、
第２の複数の信号送信エレメントにおいて受信された基準信号のパワーレベルを測定し、
注入されたパワーレベルと受信されたパワーレベルとを比較し、
その比較に応答して、第１および第２の複数の信号送信エレメントに含まれた少なくとも１つの信号送信エレメントの利得を設定し、
第１の複数の信号送信エレメントのうちの少なくとも幾つかを付勢し、
第１の複数の信号送信エレメントにおいて、第１の領域からの通信信号を受信し、
第２の複数の信号送信エレメントのうちの少なくとも幾つかを付勢し、
第２の複数の信号送信エレメントから第２の領域へ通信信号を送信するステップを含んでおり、
基準信号の注入は予め定められた注入されたパワーレベルの第１の検出器による測定を含み、受信されたパワーレベルの測定は受信されたパワーレベルの第２の検出器による測定を含んでおり、第２の複数の信号送信エレメントの少なくとも幾つかの付勢はパワー増幅器を付勢し、第３の検出器により測定されたパワー増幅器の出力と、第１の検出器により測定された予め定められ注入されたパワーレベルと、第２の検出器により測定された受信されたパワーレベルとに応答してパワー増幅器のパワーレベル出力を設定する方法。
【請求項２】  第１の領域と第２の領域はオーバーラップしていない請求項１記載の方法。
【請求項３】  パワー増幅器のレベルと受信されたパワーレベルとに応答してアラームを設定する請求項１記載の方法。
【請求項４】  セルラ通信ネットワークの無線周波数（ＲＦ）パワーレベルを調節する方法において、ネットワークは第２の可変利得中継器として通信信号を送信するように構成されている第２の複数の信号送信エレメントに結合されている第１の可変利得中継器として通信信号を受信するように構成されている第１の複数の信号送信エレメントを含んでおり、方法は、
通信信号が第１の複数の信号送信エレメントで受信されないように、第１の複数の信号送信エレメントのうち少なくとも幾つかを消勢し、
通信信号が第２の複数の信号送信エレメントから送信されないように、第２の複数の信号送信エレメントのうち少なくとも幾つかを消勢し、
第１の複数の信号送信エレメントにおいて予め定められた注入されたパワーレベルを有する基準信号を注入し、
第２の複数の信号送信エレメントにおいて基準信号を受信し、
第２の複数の信号送信エレメントにおいて受信された基準信号のパワーレベルを測定し、
注入されたパワーレベルと受信されたパワーレベルとを比較し、
その比較に応答して、第１および第２の複数の信号送信エレメントに含まれた少なくとも１つの信号送信エレメントの利得を設定し、
第１の複数の信号送信エレメントにおいて予め定められた順方向中間周波数（ＦＷＤ−ＩＦ）帯域外の周波数で通信信号を受信し、
ＦＷＤ−ＩＦ帯域内で順方向ＩＦ信号を発生するように局部発振器（ＬＯ）信号と通信信号とを混合し、
順方向ＩＦ信号を第２の複数の信号送信エレメントに伝送し、
第２の複数の信号送信エレメントにおいて通信信号中の情報を回復するために順方向ＩＦ信号をＬＯ信号と混合し、
基準信号の注入はＦＷＤ−ＩＦ帯域内の基準周波数の基準信号を発生し、
第２の複数の信号送信エレメントにおいて、ＦＷＤ−ＩＦ帯域とは異なる予め定められた逆方向中間周波数（ＲＥＶ−ＩＦ）帯域外の周波数で通信信号を受信し、
ＲＥＶ−ＩＦ帯域内で逆方向ＩＦ信号を発生するようにＬＯ信号と通信信号とを混合し、
逆方向ＩＦ信号を第１の複数の信号送信エレメントに伝送し、
第１の複数の信号送信エレメントにおいて通信信号の情報を回復するために逆方向ＩＦ信号をＬＯ信号と混合するステップを含んでおり、
第１の複数の信号送信エレメントの１つの利得と、第２の複数の信号送信エレメントの１つの利得との設定は、
基準周波数における利得値を決定し、
第１および第２の複数の信号送信エレメントのパラメータと、複数の信号送信エレメントを結合するケーブルのパラメータとに応答して、利得値をＲＥＶ−ＩＦ帯域に補間するステップを含んでいる方法。
【請求項５】  セルラ通信ネットワークの無線周波数（ＲＦ）パワーレベルを調節する方法において、ネットワークは第２の可変利得中継器として通信信号を送信するように構成されている第２の複数の信号送信エレメントに結合されている第１の可変利得中継器として通信信号を受信するように構成されている第１の複数の信号送信エレメントを含んでおり、方法は、
通信信号が第１の複数の信号送信エレメントで受信されないように、第１の複数の信号送信エレメントのうち少なくとも幾つかを消勢し、
通信信号が第２の複数の信号送信エレメントから送信されないように、第２の複数の信号送信エレメントのうち少なくとも幾つかを消勢し、
第１の複数の信号送信エレメントにおいて予め定められた注入されたパワーレベルを有する基準信号を注入し、
第２の複数の信号送信エレメントにおいて基準信号を受信し、
第２の複数の信号送信エレメントにおいて受信された基準信号のパワーレベルを測定し、
注入されたパワーレベルと受信されたパワーレベルとを比較し、
その比較に応答して、第１および第２の複数の信号送信エレメントに含まれた少なくとも１つの信号送信エレメントの利得を設定するステップを含んでおり、
第１の複数の信号送信エレメントと第２の複数の信号送信エレメントはケーブルにより結合され、比較に応答してケーブルの実効的な長さと実効的な損失を決定する方法。
【請求項６】  ケーブルの実効損失は、順方向中間周波数に応答する順方向の実効損失と、順方向中間周波数と異なる逆方向中間周波数に応答する逆方向の実効的な損失とを含んでいる請求項５記載の方法。
【請求項７】セルラ通信ネットワークの無線周波数（ＲＦ）パワーレベルを調節する方法において、ネットワークは第２の可変利得中継器として通信信号を送信するように構成されている第２の複数の信号送信エレメントに結合されている第１の可変利得中継器として通信信号を受信するように構成されている第１の複数の信号送信エレメントを含んでおり、方法は、
通信信号が第１の複数の信号送信エレメントで受信されないように、第１の複数の信号送信エレメントのうち少なくとも幾つかを消勢し、
通信信号が第２の複数の信号送信エレメントから送信されないように、第２の複数の信号送信エレメントのうち少なくとも幾つかを消勢し、
第１の複数の信号送信エレメントにおいて予め定められた注入されたパワーレベルを有する基準信号を注入し、
第２の複数の信号送信エレメントにおいて基準信号を受信し、
第２の複数の信号送信エレメントにおいて受信された基準信号のパワーレベルを測定し、
注入されたパワーレベルと受信されたパワーレベルとを比較し、
その比較に応答して、第１および第２の複数の信号送信エレメントに含まれた少なくとも１つの信号送信エレメントの利得を設定し、
予測された出力レベル値を第１の複数の信号送信エレメントから放送し、
予測された出力レベル値を第２の複数の信号送信エレメントにおいて受信し、
予測された出力レベル値に応答して第２の複数の信号送信エレメントに含まれる少なくとも１つの信号送信エレメントの利得を設定するステップを含んでいる方法。
【請求項８】  利得の設定において、第１および第２の複数の信号送信エレメントに含まれる順方向伝送路の通信信号に対する順方向利得を設定し、第１および第２の複数の信号送信エレメントに含まれる逆方向伝送路の通信信号に対する逆方向利得を設定する請求項７記載の方法。
【請求項９】順方向利得と逆方向利得は予め定められた値だけ異なっている請求項８記載の方法。
【請求項１０】  第１の複数の信号送信エレメントは信号受信レベルで通信信号を受信し、基準信号の注入は信号受信レベルと実質上同一の注入レベルによる基準信号の注入を含んでいる請求項７記載の方法。
【請求項１１】  セルラ通信ネットワークで無線周波数（ＲＦ）パワーレベルを調節する装置において、
第１の可変利得中継器として結合される第１の複数の信号送信エレメントと、
第２の可変利得中継器として結合される第２の複数の信号送信エレメントと、
第１および第２の複数の信号送信エレメントを接続し、それらの間で通信信号を伝送するように構成されているカップリングと、
第１の複数の信号送信エレメントにおいて予め定められた注入されたパワーレベルを有する基準信号を注入するように構成されている基準発振器と、
第２の複数の信号送信エレメントにおいて受信された基準信号のパワーレベルを測定するように構成されている受信機と、
第１および第２の複数の信号送信エレメントのうちの少なくとも幾つかを消勢して、基準信号がカップリングと第１および第２の複数の信号送信エレメントから放射されないように構成されているスイッチング回路と、
注入されたパワーレベルと受信されたパワーレベルに応答して、第１および第２の複数の信号送信エレメントに含まれている１つの信号送信エレメントの利得を設定するように構成されている制御回路とを具備している装置。
【請求項１２】  スイッチング回路は第１の複数の信号送信エレメントの少なくとも幾つかと、第２の複数の信号送信エレメントの少なくとも幾つかを付勢するように構成され、それによって第１の複数の信号送信エレメントは第１の領域から通信信号を受信し、第２の複数の信号送信エレメントは通信信号を第２の領域へ送信する請求項１１記載の装置。
【請求項１３】  第１の領域および第２の領域はオーバーラップしていない請求項１２記載の装置。
【請求項１４】  第２の複数の信号送信エレメントはパワー増幅器を含み、装置は、
予め定められた注入されたパワーレベルを測定するように構成されている第１の検出器と、
受信されたパワーレベルを測定するように構成されている第２の検出器と、
パワー増幅器のパワー増幅器レベル出力を測定するように構成され、それによってパワー増幅器のレベルがパワー増幅器のレベル出力と予め定められた注入パワーレベルと受信されたパワーレベルとに応答するように設定される第３の検出器とを具備している請求項１２記載の装置。
【請求項１５】  パワー増幅器のレベルおよび受信されたパワーレベルに応答して付勢されるアラームを具備している請求項１４記載の装置。
【請求項１６】  第１の複数の信号送信エレメントは予め定められた順方向中間周波数（ＦＷＤ−ＩＦ）帯域外の周波数で通信信号を受信し、ＦＷＤ−ＩＦ帯域内で順方向ＩＦ信号を発生するように局部発振器（ＬＯ）信号と通信信号とを混合するように構成され、
第２の複数の信号送信エレメントは順方向ＩＦ信号を受信し、通信信号の情報を回復するために順方向ＩＦ信号をＬＯ信号と混合するように構成されている請求項１２記載の装置。
【請求項１７】  基準発振器はＦＷＤ−ＩＦ帯域内の基準周波数で基準信号を発生するように構成されている請求項１６記載の装置。
【請求項１８】  第２の複数の信号送信エレメントは、ＦＷＤ−ＩＦ帯域とは異なる予め定められた逆方向中間周波数（ＲＥＶ−ＩＦ）帯域外の周波数で通信信号を受信し、ＲＥＶ−ＩＦ帯域内で逆方向ＩＦ信号を発生するようにＬＯ信号と通信信号を混合するように構成されており、
第１の複数の信号送信エレメントは通信信号中の情報を回復するために逆方向ＩＦ信号をＬＯ信号と混合するように構成され、
制御回路は基準周波数における利得値を決定し、第１および第２の複数の信号送信エレメントのパラメータと、複数の信号送信エレメントを結合するケーブルのパラメータとに応答してＲＥＶ−ＩＦ帯域へ利得値を補間するように構成されている請求項１７記載の装置。
【請求項１９】  カップリングはケーブルを具備し、制御回路は注入されたパワーレベルと受信されたパワーレベルに応答してケーブルの実効的な長さと実効的な損失を決定するように構成されている請求項１１記載の装置。
【請求項２０】  ケーブルの実効的な損失は、順方向中間周波数に応答する順方向の実効的な損失と、順方向中間周波数とは異なる逆方向中間周波数に応答する逆方向の実効的な損失とを含んでいる請求項１９記載の装置。
【請求項２１】  第１の複数の信号送信エレメントは予測された出力レベル値をそこから放送するように構成され、
第２の複数の信号送信エレメントは予測された出力レベル値を受信するように構成され、
制御回路は予測された出力レベル値に応答して第２の複数の信号送信エレメントに含まれる少なくとも１つの信号送信エレメントの利得を設定するように構成されている請求項１１記載の装置。
【請求項２２】  第１および第２の複数の信号送信エレメントは、
第１の信号送信エレメントから第２の信号送信エレメントへの順方向伝送路にしたがう通信信号に対する順方向伝送路エレメントと、
第２の信号送信エレメントから第１の信号送信エレメントへの逆方向伝送路にしたがう通信信号の逆方向伝送路エレメントとを含んでおり、
制御回路は順方向伝送路エレメントの順方向利得と逆方向伝送路エレメントの逆方向利得とを設定するように構成されている請求項１１記載の装置。
【請求項２３】  順方向利得と逆方向利得は予め定められた値だけ異なっている請求項２２載の装置。
【請求項２４】  第１の複数の信号送信エレメントは信号受信レベルで通信信号を受信し、基準発振器は信号受信レベルと実質上同一の注入レベルで基準信号を注入するように構成されている請求項１１記載の装置。